(57)【特許請求の範囲】
【請求項１】
ドアに隣接配置される袖パネル装置であって、
鉛直方向に延びると共に上面視でドア面に対して鋭角θを呈するように水平方向奥側に延びる鉛直溝と、前記鉛直溝内に設けられる新聞受けピンと、により構成される新聞紙収納部を含むことを特徴とする袖パネル装置。
【請求項２】
請求項１に記載の袖パネル装置において、
２つの水平方向に離間対向する鉛直面部を含み、それらは前記鉛直溝を画定することを特徴とする袖パネル装置。
【請求項３】
請求項１または２に記載の袖パネル装置において、
新聞受けピンは、新聞紙を下方側から支えるために、鉛直溝を横断する方向に延びることを特徴とする袖パネル装置。
【請求項４】
請求項１から３のいずれか１項に記載の袖パネル装置において、
ドアは、片開きドアであって、反ヒンジ側には袖パネル装置が配置されることを特徴とする袖パネル装置。
【請求項５】
請求項１から４のいずれか１項に記載の袖パネル装置において、
袖パネル装置のパネル面は、ドア面と実質的に面一であることを特徴とする袖パネル装置。
【請求項６】
ドアに隣接配置される袖パネル装置であって、
壁側に設置されるパネルベースと、
パネルベースに連結されるパネル組立体と、
新聞紙収納部と、
を含み、
パネルベースおよびパネル組立体の各々は、新聞紙収納部に収納される新聞紙を両脇から押圧して拘束し得る鉛直面部を有し、
鉛直面部は、水平方向に離間対向し、
各鉛直面部は、鉛直方向に延びると共に上面視でドア面に対して鋭角θを呈するように水平方向奥側に延び、
両鉛直面部の間には、新聞紙を下方側から支えるために、新聞受けピンが設けられることを特徴とする袖パネル装置。
【請求項７】
請求項６に記載の袖パネル装置において、
パネル組立体は、下端部がパネルベースの下端部にヒンジ結合されて傾倒可能であることを特徴とする袖パネル装置。
【請求項８】
請求項６または７に記載の袖パネル装置において、
新聞受けピンは、新聞紙を下方側から支えるために、両鉛直面部を横断する方向に延びることを特徴とする袖パネル装置。
【請求項９】
請求項６から８のいずれか１項に記載の袖パネル装置において、
ドアは、片開きドアであって、反ヒンジ側には袖パネル装置が配置されることを特徴とする袖パネル装置。
【請求項１０】
請求項６から９のいずれか１項に記載の袖パネル装置において、
袖パネル装置のパネル面は、ドア面と実質的に面一であることを特徴とする袖パネル装置。
【発明の詳細な説明】
【技術分野】
【０００１】
本発明は、ドアに隣接して配置される袖パネル装置に関し、特に、新聞紙収納部を備えた袖パネル装置に関する。
【背景技術】
【０００２】
近時、集合住宅の玄関ドアの構造において、視覚効果（豪華さ等）を演出する等のために袖パネル装置がドアに隣接配置され、袖パネル装置に、玄関灯や新聞受けなどの機能部が集約されることがある。
【０００３】
それらの機能部の中で新聞受けは、配達される新聞を円滑に受けて確実に保持するという実用的な機能を特に重視して、耐久性・信頼性を確保できる比較的大型で堅牢なものが提供される。
【０００４】
たとえば、特許文献１には、化粧ドア枠（袖パネル）を幅広くすると共に、この化粧ドア枠のパネル面に、上方側から玄関灯、表札部、インターフォン、新聞受けをこの順序で突出形成した玄関構造が開示されている。
【０００５】
【特許文献１】特開２００３−２４７３７６号公報
【発明の開示】
【発明が解決しようとする課題】
【０００６】
上記従来の玄関構造の場合、新聞受けが表面パネルからまともに突出するために、審美性が損なわれ易く、玄関ドア周りのデザインが制約され、また、機能の面で改善の余地があった。
【０００７】
本発明は、このような新聞受け（新聞紙収納部）の機能を従来と同様もしくはそれ以上のレベルに保持しつつ、ドア周りの設計の自由度を著しく向上させ得る袖パネル装置を提供することをその課題とする。
【課題を解決するための手段】
【０００８】
上記課題を解決するために、本発明の第１態様は、ドアに隣接配置される袖パネル装置であって、鉛直方向に延びると共に上面視でドア面に対して鋭角θを呈するように水平方向奥側に延びる鉛直溝と、前記鉛直溝内に設けられる新聞受けピンと、により構成される新聞紙収納部を含むことを特徴とする。
本発明の第２態様は、第１態様において、
２つの水平方向に離間対向する鉛直面部を含み、それらは前記鉛直溝を画定することを特徴とする。
本発明の第３態様は、第１態様または第２態様において、
新聞受けピンは、新聞紙を下方側から支えるために、鉛直溝を横断する方向に延びることを特徴とする。
本発明の第４態様は、第１態様から第３態様のいずれか１つにおいて、
ドアは、片開きドアであって、反ヒンジ側には袖パネル装置が配置されることを特徴とする。
本発明の第５態様は、第１態様から第４態様のいずれか１つにおいて、
袖パネル装置のパネル面は、ドア面と実質的に面一であることを特徴とする。
【０００９】
本発明の第６態様は、ドアに隣接配置される袖パネル装置であって、
壁側に設置されるパネルベースと、
パネルベースに連結されるパネル組立体と、
新聞紙収納部と、
を含み、
パネルベースおよびパネル組立体の各々は、新聞紙収納部に収納される新聞紙を両脇から押圧して拘束し得る鉛直面部を有し、
鉛直面部は、水平方向に離間対向し、
各鉛直面部は、鉛直方向に延びると共に上面視でドア面に対して鋭角θを呈するように水平方向奥側に延び、
両鉛直面部の間には、新聞紙を下方側から支えるために、新聞受けピンが設けられることを特徴とする。
本発明の第７態様は、第６態様において、
パネル組立体は、下端部がパネルベースの下端部にヒンジ結合されて傾倒可能であることを特徴とする。
本発明の第８態様は、第６態様または第７態様において、
新聞受けピンは、新聞紙を下方側から支えるために、両鉛直面部を横断する方向に延びることを特徴とする。
本発明の第９態様は、第６態様から第８態様のいずれか１つにおいて、
ドアは、片開きドアであって、反ヒンジ側には袖パネル装置が配置されることを特徴とする。
本発明の第１０態様は、第６態様から第９態様のいずれか１つにおいて、
袖パネル装置のパネル面は、ドア面と実質的に面一であることを特徴とする。
【発明の効果】
【００１０】
上記従来の不都合を解決・解消することができ、壁への掘り込み等の大掛かりな工事を必要とすることなく、ドア前方側に機能部、特に新聞紙収納部が飛び出ないフラットな構造にすることができ、極めて合理的・経済的である。
本発明の上記および他の目的、特徴、および利点（効果）は、本発明の実施形態の説明および図面から当業者にとって明らかになる。
【発明を実施するための最良の形態】
【００１１】
以下、図面を参照して本発明の実施形態を説明するが、本発明自体はそれに限定されないことは言うまでもない。
【００１２】
図１は、本発明の一実施形態に係る集合住宅の玄関ドア構造を外部正面から見た図、図２は、図１のＩＩ−ＩＩ線に沿って上方側から見た断面図である。
【００１３】
先ず、図１および２を参照すると、本実施形態の玄関ドア構造は、基本的にドア（パネル）３およびドア用枠体５と袖パネル装置７とから構成され、ドア３（およびドア用枠体５）と袖パネル装置７とが（概ね）横一列に並ぶと共に、ドア３およびドア用枠体５が壁９の開口部１１を塞ぐように設置される。なお、本発明自体は、図示した壁１１の構造に限定されず、他の様々の壁、たとえば、ＡＬＣ壁（多孔質のコンクリートパネルによる構造）やＲＣ壁（鉄筋コンクリート造）に適用できる。
【００１４】
ドア３は、プッシュプル型のグリップハンドル１３を備え、図１で見て右手側部分がドア用枠体５に対して、ヒンジ１５（たとえば、３か所）を介して片開き式に開閉可能に取り付けられる（図２の矢印参照）。
ドア用枠体５は、基本的に上枠部材と下枠部材と左右の側枠部材とから構成され、ドアの外形に適合する矩形枠を呈するように組み立てられる。
【００１５】
袖パネル装置７は、図３〜５に示すように、壁（外面または内部）に固定設置されるパネルベース１７と、パネルベース１７の下端に傾倒可能（揺動可能）に取り付けられるパネル組立体１９と、から基本的に構成される。
【００１６】
パネルベース１７とパネル組立体１９の各々は、離間して対向する鉛直面部（支持面部）１７ａおよび１９ａを有し、これら両者の鉛直面部１７ａおよび１９ａは、互いに対して平行であり、相互に協働して新聞紙収納部（詳細は後述）を構成する。
パネルベース１７は、別部材である枠体を介して壁に固定設置するように構成でき、あるいは、ドア用枠体５（側枠部材）の一部を形成するようにも構成できる。
【００１７】
パネル組立体１９は、上述したように、下方のヒンジ２１を中心にして外方（図１では紙面の手前方向）に傾倒可能であるが、両者を橋渡しするように接続されたワイヤ２３により、傾倒角度が制御・制限される（図４および図５）。
パネル組立体１９のパネル（化粧版）２５は、パネル面内における水平方向前後位置の微調整ができるように、上ブラケット２７、下ブラケット２９、フランジ３１等を介してパネルベース１７に取り付けられる。
【００１８】
パネル組立体１９のパネル（化粧版）２５の表面には、図３に示すように、玄関灯部３３、表札部３５、インターフォン部３７、および、新聞紙収納部がこの順序で上から下にそれぞれ別々の間隔で配置される。
【００１９】
玄関灯部３３は、図５および６に示すように、パネル２５に形成した小さな複数個の矩形貫通穴３９をパネル裏面側（内部側）から全部を覆うように取り付けたアクリル板（アクリルフロスト板）４１と、ＬＥＤ素子を実装して内部略中央に配設された（制御器付き）ＬＥＤモジュール４３と、ＬＥＤ光を反射する反射板４５と、側光照明用開口を覆うように取り付けたアクリル板４７を有する側方カバー４９と、を備える。
【００２０】
このＬＥＤ光により、アクリル板４１を通してパネル面外部を照らして光を浮かび上がらせることができ、同時に、アクリル板４７を通して、鉛直面部１７ａおよび１９ａで画定される鉛直溝の内側を照らすこと（間接照明化）ができ、品格のある演出効果（情緒の漂うライティング）を得ることが可能である。
【００２１】
表札部３５は、図５、７、１０および１１に示すように、パネル２５に形成した矩形貫通孔５１を通して見えるように、奥側のブラケット５３に立て掛けられる表札５５と、表札上方に取り付けられてエッジライト式に上方から表札近辺を照らすＬＥＤ装置５７と、表札５５およびＬＥＤ装置５７の間における漏光を防止するための漏光防止カバー５９と、を備える。
ブラケット５３に対する表札５５の固定接続は、交換等を考慮して、迅速かつ簡易に着脱が可能であるようにシート状マグネットを用いて構成される。
【００２２】
インターフォン部３７は、図８に示すように、玄関外から室内を呼び出して通話・会話することを可能にするために、パネル裏側に取り付けられるインターフォン子機６１（たとえば、カメラ付き）を備える。
【００２３】
新聞紙収納部は、上述したように、パネルベース１７の鉛直面部（支持面部）１７ａと、それに平行に対向するパネル組立体１９の鉛直面部（支持面部）１９ａと、によって画定される天地方向（鉛直方向）に延びる鉛直溝から基本的に構成される。
【００２４】
鉛直面部１７ａおよび１９ａは共に、上方から見て袖パネル装置（パネル組立体）のパネル面もしくはドア外面に対して、所定の鋭角θ（０＜θ＜９０度）を呈するように交差する（図９および図１２）。換言すると、鉛直溝（新聞紙収納部）は、パネル面・ドア外面に対して鋭角θを有して奥側に延びる。別言すると、パネル面から真っ直ぐ奥行方向に延びておらず、斜めに延びている。
【００２５】
この本実施形態の特徴的な鉛直溝構成によれば、鉛直溝（収納部）がパネル面・ドア外面に垂直な方向すなわち奥行方向にそのまま延びる鉛直溝構成（θ＝９０度）と比べて、奥側に向かって斜めに設けられる分、袖パネル装置全体の奥行寸法を大幅に小さくすることができる。
【００２６】
本実施形態では、収納する新聞紙の保持（把持）をより確実にする観点から、折り畳まれた新聞紙を下方側から直接支えるために新聞受けピン（落下防止ピン）６３が設けられる。
【００２７】
すなわち、両鉛直面部１７ａおよび１９ａの間の面間距離Ｗ（図９）を或る程度妥当な値（たとえば、Ｗ＝３８ｍｍ）に設定しているものの、折り畳んだ状態の新聞紙Ｓは、その紙質および量、折り込まれる広告紙の紙質および量などに起因して、薄いものから厚いものまで、そして、弾力のあるものから無いものまで様々である。
【００２８】
そこで、新聞紙保持の確実性を担保する観点から、両鉛直面部１７ａおよび１９ａを設けることに加えて、新聞受けピン６３が設けられる。
【００２９】
新聞受けピン６３は、パネル組立体の鉛直面部からそれに垂直に突出するように設けられるが、この構成に限定されない。すなわち、それに代えて、パネルベースの鉛直面部からピンが突出するように構成することもできる。あるいは、両側にピンを設けることもできる。その場合、半分程度の長さのピンの先端同士が当接または近接してあたかも１本のピン様になるような構成にすることもできる。あるいは、複数のピンが千鳥状に両側から突出して新聞紙を下方側から完全に支持するような構成にすることもできる。
【００３０】
図１２および図１３は、一回に配達されるブランケット版（通常の日刊紙のサイズ＝５４７ｍｍ×４０８ｍｍ）の新聞紙Ｓをたとえば３度折り畳んだものを、新聞紙収納部に収納した状態を示す。
【００３１】
このように折り畳まれた新聞紙Ｓは、元の状態に戻ろう・拡がろうとする復元力に基づいて、対向する両鉛直面部１７ａおよび１９ａの各々との間に生じる摩擦力により、水平方向前後に動きにくい程度に鉛直溝内部に保持（拘束）され、同時に、新聞紙Ｓの下側が新聞受けピン（落下防止ピン）の上に載ることによって、落下方向に関して支持される。
【００３２】
以上のように、本実施形態の特徴的な二重支持構成により、折り畳まれた状態の新聞紙Ｓを、パネルベース１７およびパネル組立体１９の鉛直面部１７ａおよび１９ａ間に安全かつ確実に保持できる。
【００３３】
また、新聞紙を収納するため収納部が、袖パネル外方ないしドア前面側に飛び出るような構造ではなく、フラットな構造から成るので、美観を損なうことがなく、しかも、安全上、特に通行する子供等にとって好適である。
【００３４】
さらに、パネル同士の隙間のような自然な印象を与える鉛直溝を新聞受けとして巧みに利用した構成であるために、新聞紙が収納されていても収納されていなくても、人に違和感を与えることがないということができる。
しかも、鉛直溝と、鉛直方向に延びるドア・袖パネルとがデザイン的に見事に調和するために、ヨコ目地のない、スッキリとしたシンプルな、すなわち、縦の面が生きている、品格ある建物デザイン（玄関周りの演出等）を実現できる。
【００３５】
さらに、ＬＥＤ光が間接光として、斜交する鉛直面部を優しく照らすために、平坦になりがちなドアおよび壁の連続部分に、心地よい表情と高級感を与えることができる。
そして、奥行き寸法を狭小化しながらも、意外と嵩張る折り畳んだ新聞紙をスッポリ収納できるので、本来であれば必要な、壁への掘り込み、というような大規模工事を不要にでき、非常に合理的・経済的である。
【００３６】
なお、言うまでもないが、本発明は、上記実施形態に限定されるものではなく、本発明の開示範囲内で、当業者によって各種の改変および変形が可能である。
たとえば、新聞受けピンは、図示実施形態のようなピン状・丸棒状の態様に文字通りに限定されるものではない。すなわち、本発明の基本原理にしたがって、当業者は、様々な態様のものを把握することができ、たとえば、図示しないが、多角柱状、多角パイプ状、フック状、あるいは、異形柱状を有するもの等を、本発明の新聞受けピンとして把握することができる。
【００３７】
また、新聞受けピンは、パネルベースの鉛直面部に突出形成することができ、あるいは、両鉛直面部の双方に突出形成することができ、その場合に、たとえば、千鳥状に配置構成することができる。
さらに、パネルベースおよびパネル組立体を別体ではなくて実質上一体物として形成して、それに本発明に係る鉛直溝を設けるような構成も可能である。
さらにまた、本発明の適用は、片開き式のドアに限定されず、たとえば、両開き式（観音開き）のドアや、引き戸などにも適用可能である。
【図面の簡単な説明】
【００３８】
【図１】本発明の一実施形態に係る集合住宅の玄関ドア構造を外部正面から見た図である。
【図２】図１のＩＩ−ＩＩ線に沿って上方側から見た断面図である。
【図３】袖パネル装置を正面から見た立面図である。
【図４】図３のＩＶ−ＩＶ線に沿い矢印方向から見た断面図である。
【図５】袖パネル装置の分解斜視図である。
【図６】図３のＶＩ−ＶＩ線に沿い矢印方向から見た断面図である。
【図７】図３のＶＩＩ−ＶＩＩ線に沿い矢印方向から見た断面図である。
【図８】図３のＶＩＩＩ−ＶＩＩＩ線に沿い矢印方向から見た断面図である。
【図９】図３のＩＸ−ＩＸ線に沿い矢印方向から見た断面図である。
【図１０】表札部の側方断面図である。
【図１１】表札部の一部分解斜視図である。
【図１２】新聞紙を収納した新聞紙収納部の横断面図である。
【図１３】図１２の新聞紙収納部を矢印方向から見た外観図である。
【符号の説明】
【００３９】
３  ドア
５  ドア用枠体
７  袖パネル装置
９  壁
１７  パネルベース
１７ａ、１９ａ  鉛直面部
１９  パネル組立体
２５  パネル
３３  玄関灯部
３５  表札部
３７  インターフォン部
６３  新聞受けピン
【図１】
0005507316.tif 000002
【図２】
0005507316.tif 000003
【図３】
0005507316.tif 000004
【図４】
0005507316.tif 000005
【図５】
0005507316.tif 000006
【図６】
0005507316.tif 000007
【図７】
0005507316.tif 000008
【図８】
0005507316.tif 000009
【図９】
0005507316.tif 000010
【図１０】
0005507316.tif 000011
【図１１】
0005507316.tif 000012
【図１２】
0005507316.tif 000013
【図１３】
0005507316.tif 000014